(57)【要約】【課題】安定した状態で設置でき、効率良く切断作業を行い得るワイヤーソーイング装置を提供すること。【解決手段】切断用ワイヤー１０を張力Ｔを与えた状態で循環走行させてコンクリート構造物Ｗを切断するワイヤーソーイング装置１において、装置１のベース２０に対して、ワイヤー１０に動力を与える駆動プーリ３０とその駆動用モータ３１を固定し、駆動プーリ３０とは別にベース２０に対して移動可能なテンションプーリ４１，４２を設け、プーリ４１，４２の移動により張力調整するようにする。テンションプーリ４１，４２は、駆動プーリ３０と異なり、駆動モータが不要であるところ、本装置１はこのようなプーリ４１，４２を移動させる構造であり、移動部分が軽量である。移動部分が軽量であれば切断時の装置バランスの維持が容易で設置状態が安定し、ワイヤー走行速度の向上等による切断効率の向上が容易である。【選択図】  図１
2004358833.tif 000002
【特許請求の範囲】
【請求項１】
コンクリート構造物、コンクリート製品、コンクリート二次製品、石材等の切断対象物に掛け渡された状態で用いられる無端状の切断用ワイヤーをこれに張力を与えた状態でワイヤー経路に沿って循環走行させて前記切断対象物を切断するワイヤーソーイング装置であり、切断対象物に着脱可能な状態で固定されるベースと、切断用ワイヤーに動力を与える、前記ベースに対して固定された駆動プーリと、を有するワイヤーソーイング装置において、
前記駆動プーリおよび当該駆動プーリの駆動用モータを前記ベースに対して固定した状態で設けると共に、駆動プーリとは別に、ベースに対して移動可能に設置されるテンションプーリを設け、当該テンションプーリを移動させることによって前記切断用ワイヤーに与える張力の大きさを調整できるようにしたことを特徴とするワイヤーソーイング装置。
【請求項２】
前記駆動プーリは、前記テンションプーリよりもベース側に設置されている請求項１に記載のワイヤーソーイング装置。
【請求項３】
切断対象物に掛け渡された状態で用いられる切断用ワイヤーの切断対象物側への送り出し位置の調節に用いられる送り側ガイドプーリと、切断対象物側からの戻り位置の調節に用いられる戻り側ガイドプーリとを有しており、
少なくともいずれか一方のガイドプーリは、当該ガイドプーリを、切断作業開始時の基本位置と、切断用ワイヤーから切断対象物に加わる切断力が増大する切換位置との間で移動可能に支持されている請求項１または請求項２に記載のワイヤーソーイング装置。
【発明の詳細な説明】
【０００１】
【発明の属する技術分野】
本発明は、ビル、地下鉄あるいは地下街などの建造物の壁、床あるいは天井、橋脚、堤防または各種プラントその他のコンクリート（鉄筋コンクリートを含む）構造物、ヒューム管などのコンクリート二次製品を含むコンクリート製品、石材等の切断に用いられるワイヤーソーイング装置に関する。
【０００２】
【従来の技術】
従来のワイヤーソーとしては、例えば、コンクリート構造物上に設置される取付台と、取付台に支持されたロッドと、ロッドに移動可能に装着されるワイヤー駆動装置（ケーブル駆動装置、自走台）と、ワイヤー駆動装置に設置された駆動プーリと、取付台に取着のアームに支持されたガイドプーリと、当該ガイドプーリ、ワイヤー（ケーブル）駆動プーリおよびコンクリート構造物に掛けられた状態で用いられる無端状の切断用ワイヤー（切削ケーブル）とからなる装置がある（例えば、特許文献１参照）。
【０００３】
この装置は、取付台をコンクリート構造物上に止着し、コンクリート構造物に無端状の切断用ワイヤーを掛け渡した状態で用いられる。この状態でワイヤー駆動プーリを回転させると、切断用ワイヤー循環走行してコンクリート構造物が切断される。また、この装置は、切断の進行に伴い、ワイヤー駆動装置をロッドに沿って移動させる構造になっており、当該ワイヤー駆動装置を移動させることで切断用ワイヤーに弛みを生じさせることなくコンクリート構造物を切断できるようになっている。
【０００４】
【特許文献１】特開平７−１５８２９０号公報
【０００５】
【発明が解決しようとする課題】
ところが、ワイヤー駆動装置は、駆動プーリや駆動用のモータなどが設置されたものであり、ワイヤーソーの中でも重量の大きな部位であるところ、このような大重量物がロッド等に沿って移動すると、ワイヤーソーの重心が大きく移動して装置全体のバランスが崩れ、切断作業中にワイヤーソーの振動が大きくなることがある。ワイヤーソーの振動が大きくなると、プーリからワイヤー（ケーブル）が外れやすくなる。また、ワイヤーの走行速度を向上することが難しく、切断作業効率の向上が難しくなる。
【０００６】
本発明は、このような問題点に鑑みてなされたものであり、安定した状態で設置でき、効率良く切断作業を行うことができるワイヤーソーイング装置を提供することを課題とする。
【０００７】
【課題を解決するための手段】
このような課題を解決する本発明のワイヤーソーイング装置は、コンクリート構造物、コンクリート製品、コンクリート二次製品、石材等の切断対象物に掛け渡された状態で用いられる無端状の切断用ワイヤーをこれに張力を与えた状態でワイヤー経路に沿って循環走行させて前記切断対象物を切断するワイヤーソーイング装置であり、切断対象物に着脱可能な状態で固定されるベースと、切断用ワイヤーに動力を与える、前記ベースに対して固定された駆動プーリと、を有するワイヤーソーイング装置において、前記駆動プーリおよび当該駆動プーリの駆動用モータを前記ベースに対して固定した状態で設けると共に、駆動プーリとは別に、ベースに対して移動可能に設置されるテンションプーリを設け、当該テンションプーリを移動させることによって前記切断用ワイヤーに与える張力の大きさを調整できるようにしたことを特徴とする。
【０００８】
本発明に係るワイヤーソーイング装置を用いる場合は、当該装置のベースをコンクリート構造物等の切断対象物に固定し、無端状の切断用ワイヤーを切断対象物に掛け渡し、テンションプーリを移動させて切断用ワイヤーに張力を与えた状態にする。この状態で、駆動プーリを回転させて切断用ワイヤーを循環走行させると切断対象物を切断できる。また、切断の進行に合わせてテンションプーリを移動させて、切断用ワイヤーに張力を与えた状態を維持する。張力を付与した状態を維持すると、切断用ワイヤーの弛みの発生が防止され、切断用ワイヤーによる切断が継続的に行われる。
【０００９】
このように、本発明に係るワイヤーソーイング装置は、駆動プーリとは別に設けたテンションプーリを移動させることで切断用ワイヤーに張力を付与するものである。そして、このテンションプーリは、駆動プーリとは異なり、モータ等を用いて回転駆動させる必要のないものである。したがって、切断用ワイヤーに張力を付与するために移動させる部分の重量は、駆動プーリを移動させる従来のワイヤーソーの移動部分（ケーブル駆動装置）の重量に比べて著しく軽量である。移動部分が軽量であれば、移動に伴う装置の重心移動が最小限に抑えられ、装置バランスの崩れが最小限になる。装置のバランスが維持されれば、切断作業中にワイヤーソーの振動が大きくなるようなことが防止され、またワイヤーの走行速度の上昇により切断効率を向上させるようなことが可能になる。
【００１０】
移動部分を支持する構造としては、ベースに支柱を設置して当該支柱にスライダを外挿し、このスライダに移動部分を取り付ける構造や、支柱にレールを敷設して当該レールに沿ってプーリの支持部分を移動させる構造など、種々の構造を挙げることができる。そして、移動部分が軽量であれば、移動部分の支持構造の簡素化が可能である。例えば、ベースに支柱を設置し、当該支柱に筒形のスライダを外挿し、当該スライダにテンションプーリを含む移動部分を取り付ける構造の場合、移動部分が軽量であれば、移動部分が取り付けられるスライダを小型軽量化してもテンションプーリを安定した状態で支持できる。
【００１１】
また、本発明に係るワイヤーソーイング装置では、駆動プーリやその駆動用モータなど、重量の大きなものがベースに固定されている。このように重量の大きな部分をベースに固定すると、装置の設置状態が著しく安定し、切断作業中の装置の振動がより確実に防止される。振動の発生が防止されれば、例えば、ワイヤーの走行速度を上げてより効率良く切断作業を行うことができる。特に、可搬性が要求される小型のワイヤーソーイング装置では、装置の設置状態を安定させるためにベースの重量を重くしようにも限界があるところ、本発明によれば、装置の総重量を増やすことなく装置をより安定した状態で設置できるという利点がある。このように本発明に係るワイヤーソーイング装置は、可搬性が要求される小型のワイヤーソーイング装置の構造として特に有効である。
【００１２】
ワイヤーソーイング装置でコンクリート構造物等を切断する場合、粉塵の飛散防止あるいは切断用ワイヤーの冷却等の目的で切断部分に給水を行うことがある。給水を行うと、切断によってノロ（コンクリート粉と水との混合物）が生じ、生じたノロがワイヤーソーイング装置の隙間部分に入り込む。例えば、移動部分の支持部材として、上記したようなスライダを用いた場合、支柱とスライダとの隙間にノロが入り込むことがあるが、隙間にノロが入るとスライダを移動できなくなるおそれがあるので隙間からノロを除去する必要がある。このような場合にスライダが小型であれば、スライダが大型である従来の場合に比べてより簡単に隙間のノロを除去できる。この点、本発明に係るワイヤーソーイング装置では、上述したように、スライダに取り付けられる移動部分が軽量であり、簡単にスライダを小型化できる。スライダが小型であれば、支柱とスライダの隙間に詰まったノロを簡単に除去できる。
【００１３】
そして、従来のワイヤーソーイング装置のように移動部分の重量が大きい場合、スライダを支柱から取り外すことは容易でなく、スライダを取り外してノロを除去する作業を行うことは容易でないが、移動部分およびスライダが軽量である本発明に係る装置では、より容易にスライダを支柱から取り外すことができ、より簡単にスライダを取り外した状態でノロを除去できる。
【００１４】
また、上述したように、本発明では、駆動プーリはベースに固定された状態で設置されるが、駆動プーリの設置位置としては、テンションプーリよりもベース側が好ましい。駆動プーリやその駆動用モータなどの重量物をテンションプーリよりもベース側に設置すると、ワイヤーソーイング装置の重心がベース寄りの位置になり、装置の設置状態がより確実に安定するからである。
【００１５】
ところで、ワイヤーソーイング装置は、一般に、切断用ワイヤーの切断対象物側への送り出し位置の調節に用いられる送り側ガイドプーリと、切断対象物側から装置側への戻り位置の調節に用いられる戻り側ガイドプーリとを有している（例えば図１のプーリ６１，６２参照）。このようなガイドプーリを備えていると、切断用ワイヤーの走行状態がより安定するという利点がある。ところが、切断が進行して、例えば図２（ｂ）に示されるように、両プーリ６１，６２よりもコンクリート構造物側のワイヤー２の走行経路部分Ｐが直線に近くなると切断効率が低下する。
【００１６】
そこで、切断が進行した状態になっても、できるだけ効率良く切断できるようにする方法について検討した。その結果、前記両ガイドプーリのうち、少なくともいずれか一方のガイドプーリを、つぎのように支持することが好ましいことが解った。すなわち、いずれか一方のガイドプーリを、切断作業開始時の基本位置と、切断用ワイヤーから切断対象物に加わる切断力が増大する切換位置との間で移動可能に支持するものが好ましいことが解った。切断力が増大する切換位置とは、例えば、図２（ｂ）に示されるガイドプーリ６１の位置が基本位置である場合に、図２（ｃ）に示されるガイドプーリ６１の位置である。
【００１７】
より詳細に説明すれば、切断力が増大する切換位置とは、例えば、ガイドプーリ６１（図２（ｃ）参照）から切断対象物Ｗに達する区間Ｓを走行する切断用ワイヤー１０と切断対象物Ｗの表面とのなす角度（内角）θｗを、ガイドプーリ６１が基本位置である場合と切換位置にある場合について比較した場合に、切換位置での角度θｗが基本位置での角度θｗよりも小さい角度になる位置のことである。例えば、図２（ｃ）に示されるガイドプーリ６１であれば、これを真上方向やアーム５１の付根の方向（図２（ｃ）における左方向）に移動させると角度θｗが小さい角度になる。そして、切断対象物Ｗの切断が進行した状態（図２（ｃ）に示されるような状態）で、上述したような切換位置にガイドプーリ６１を移動させると、切断用ワイヤー１０から切断対象物Ｗに加わる切断力Ｆ１が増大して切断効率が向上し、より短時間で切断対象物を切断できる。
【００１８】
【発明の実施の形態】
以下、本発明に係るワイヤーソーイング装置（以下、単に「装置」と称することがある）の好適な実施形態を図面を参照しつつ説明する。
【００１９】
ワイヤーソーイング装置１（図１参照）は、無端状の切断用ワイヤー１０を用いてコンクリート構造物（切断対象物）Ｗを切断する装置であり、図１に示されるように、コンクリート構造物Ｗに固定されるベース２０を有する。ベース２０にはボルト挿入用の穴２０ａが形成されており、コンクリート構造物Ｗに取り付けられたアンカーボルトＡを挿入できるようになっている。したがって、当該穴２０ａにアンカーボルトＡを挿入し、アンカーボルトＡにナット２１を捩じ込み、当該ナット２１でベース２０をコンクリート構造物Ｗに締め付けるとベース２０がコンクリート構造物Ｗに固定される。そして、ベース２０には、ベース２０の固定状態を安定させる調整ボルト２２が取り付けられている。したがって、調整ボルト２２の下側（コンクリート構造物側）への突出量を調整することでベース２０の固定状態を安定させることができる。
【００２０】
また、ベース２０には、垂直上方に延びる支柱２３と、切断用ワイヤー１０の駆動プーリ３０と、駆動プーリ３０を回転させるプーリ駆動モータ（駆動手段）３１が設置されている。駆動プーリ３０およびプーリ駆動モータ３１は、支柱２３に取り付けられたプーリ固定台３２を介してベース２０に固定されている。駆動プーリ３０およびプーリ駆動モータ３１は装置１の中でも重量の大きなものであるが、本実施形態の装置１では、これらがベース２０に対して固定されている。このような構造にすると、装置１の重心が安定し、切断動作中に装置１のバランスが崩れるようなことが防止される。
【００２１】
支柱２３には、支柱２３に沿って上下動するスライダ４０が取り付けられており、スライダ４０には、切断用ワイヤー１０が掛けられる左右一対のテンションプーリ４１，４２が設置されている。また、支柱２３の背面にはラック２４が取り付けられており、スライダ４０にはラック２４に噛み合うピニオンギア（不図示）と当該ギアを作動させるモータ４３が設置されている。モータ４３としては、油圧、空圧あるいは電動のいずれのモータでもよいが、本実施形態では油圧式のものを用いた。このモータ４３を作動させると、スライダ４０が支柱２４に沿って上下動する。なお、符号「４４」は、テンションプーリ４１，４２を覆うカバーであり、このようなカバーを取り付けてもよい。カバー４４を取り付けると、切断時に生ずるノロや粉塵の飛散が防止される。
【００２２】
さらに、ベース２０には、支柱２３に取り付けられたアーム固定台５０を介して、水平方向（横方向）に延びる２本のガイドアーム５１，５２が設置されている。各ガイドアーム５１，５２には、アーム５１，５２に沿って移動する摺動体５１ａ，５２ａが取り付けられており、各摺動体５１ａ，５２ａには切断用ワイヤー１０が掛けられるガイドプーリ６１（戻り側ガイドプーリ）および第２ガイドプーリ（送り側ガイドプーリ）６２が設置されている。このように、コンクリート構造物Ｗに近い位置（後述する第１ガイドプーリ６１の斜め上方の位置（切換位置、図２（ｃ）参照）も含まれる）にプーリを設置して、コンクリート構造物Ｗに近い位置にワイヤー１０の装置１側への送り出し位置および戻り位置を設定すると、切断用ワイヤーの走行状態がより安定する。なお、各摺動体５１ａ，５２ａは、クランプ（不図示）によって、対応するアーム５１，５２の所望の位置に固定できるようになっている。したがって、摺動体５１ａ，５２ａの位置を調整して固定することでガイドプーリ６１，６２の位置を調整して固定できる。
【００２３】
両ガイドアーム５１，５２のうち、図１（ａ）において右側に延びており、第１ガイドプーリ６１を支持している第１ガイドアーム５１は、向きの変更が可能な状態でアーム固定台５０に設置されている。具体的に説明すると、第１ガイドアーム５１は、アーム固定台５０の一部を構成する一対のガイドプレート（一方のプレート５０ａのみ図示）に挟まれた状態でアーム固定台５０に取り付けられており、横方向（紙面直交方向）への移動が規制され、上下方向にのみ動かせるようになっている。
【００２４】
そして、両ガイドプレートには、図２（ａ）に示される一方のガイドプレート５０ａのように、第１ガイドアーム５１の位置決めに用いられる２つの溝５３，５４が形成されている。２つある溝５３，５４のうち、支柱２３寄りに形成されている第１溝５３は、図２（ａ）に示されるように、水平に延びる基本溝部と、基本溝部から下側に延びる切換溝部とからなる。また第２溝５４は、水平に延びる溝部からなる。そして、第１ガイドアーム５１には、図２（ｂ）に示されるように、各溝５３，５４に係合される２つのボルト５５，５６が取り付けられている。
【００２５】
したがって、図２（ｂ）に示されるように、第１溝５３に係合されている第１ボルト５５を、第１溝５３の基本溝部の支柱寄りの端部５３ａ（基本ポジション、図２（ａ）参照）に位置させると、第１ガイドアーム５１は水平に延びる状態でアーム固定台５０に固定され、第１ガイドプーリ６１は水平方向の位置（基本位置）に位置する。また、図２（ｃ）に示されるように、第１ボルト５５を第１溝５３の切換溝部の支柱寄りの端部５３ｂ（切換ポジション、図２（ａ）参照）に位置させると、第１ガイドアームは斜め上方に延びる状態になり、第１ガイドプーリ６１は、斜め上方の位置（切換位置）に位置する。このように、本実施形態の装置では、第１ガイドアーム５１の向きを変更することで、第１ガイドプーリ６１を水平方向の位置から斜め上方の位置に移動できる。
【００２６】
そして、このようにして切断作業中に第１ガイドプーリ６１の位置を移動させると、コンクリート構造物Ｗの切断効率を変化させることができる。例えば、図２（ｂ），（ｃ）に示されるようにコンクリート構造物Ｗの切断が進行した状態のときに、第１ガイドプーリ６１が水平方向の位置（図２（ｂ）参照）であると、例えばコンクリート構造物Ｗの所定の切断部分Ｐ１付近を走行する切断用ワイヤー１０はほぼ直線状であり、当該切断部分Ｐ１にはほとんど切断力が加わらない。他方、第１ガイドプーリ６１が斜め上方の位置（図２（ｃ）参照）であると、切断用ワイヤー１０は切断部分Ｐ１付近で折れ曲がった状態になり、切断部分Ｐ１に切断力Ｆ１が加わる。この説明から解るように、第１ガイドプーリ６１を水平方向の位置から斜め上方の位置に移動させると、切断部分Ｐ１（コンクリート構造物Ｗ）に切断用ワイヤー１０からより大きな切断力Ｆ１が加わるようになり、切断効率が向上する。
【００２７】
切断用ワイヤー１０は、図１に示されるようなワイヤー経路で各プーリ３０，４１，４２，６１，６２に掛けられる。なお、駆動プーリ３０のプーリ駆動モータ３１やスライダ４０を移動させるギア用のモータ４３等のモータは、それぞれ、図示しない制御装置によって回転数等を制御しつつ作動できるようになっている。なお、各モータ３１，４３の出力軸に取り付けられた駆動プーリ３０またはピニオンギアとの間にクラッチ機構を設けて、所定値を超える負荷がモータ３１，４３側に伝達されないようにしてもよい。このようにしておけば、切断用ワイヤー１０がコンクリート構造物Ｗに引っかかるなどして駆動プーリ３０の回転が阻止されたり、支柱２３とスライダ４０の隙間にノロが詰まるなどしてスライダ４０の移動が阻止されたりしたときに、モータ３１，４３に過大な負荷が加わることを防止できる。
【００２８】
このようなワイヤーソーイング装置１の動作を、コンクリート構造物Ｗの切断作業を通じて説明する。
【００２９】
まず、ベース２０のボルト挿入用の穴２０ａ（図１（ｂ）参照）に、コンクリート構造物Ｗに取り付けられたアンカーボルトＡを挿通させて、ベース２０をコンクリート構造物Ｗ上に設置する。そして、ナット２１で締め付けてベース２０をコンクリート構造物Ｗに固定する。このとき、必要に応じて調節ボルト２２を用いてベース２０の設置状態を安定させる。ベース２０を固定すると、両ガイドアーム５１，５２の摺動体５１ａ，５２ａを移動させてガイドプーリ６１，６２の位置決めを行う。本実施形態では、切断用ワイヤー１０をコンクリート構造物Ｗに掛け渡すための穴Ｈ１，Ｈ２の位置（切断用ワイヤー掛け渡し位置）の直ぐ上にガイドプーリ６１，６２の外側端が位置するようにガイドプーリ６１，６２を位置決めした（図１（ａ）参照）。
【００３０】
次に、スライダ４０を最も下側の位置（ベース寄りの位置）に位置させた状態で、切断用ワイヤー１０を各プーリ３０，４１，４２，６１，６２に引っ掛けると共にコンクリート構造物Ｗに掛け渡す。そして、切断用ワイヤー１０を掛け渡すと、切断用ワイヤー１０を無端状に繋ぎ、スライダ４０を上方（ベースから離れる方向）に移動させて切断用ワイヤー１０に張力Ｔを付与する（図１参照）。なお、ガイドプーリ６１，６２の位置決めと、切断用ワイヤー１０を掛け渡して張力Ｔを付与する作業の順番は前後してもよい。また、本実施形態では、切断用ワイヤー１０をコンクリート構造物Ｗに掛け渡す前に、予め、穴Ｈ１，Ｈ２をコンクリート構造物Ｗに開けておく必要があるが、例えば突起した部分や片持ち梁の先端部を切断するような場合は、穴を開けておく必要はなく、初めから無端状に繋がれた切断用ワイヤーを用いることができる。
【００３１】
このようにしてワイヤーソーイング装置１を設置すると、次に、駆動モータ３１を作動させて駆動プーリ３０を回転させると共に、スライダ４０上のモータ４３を作動させてスライダ４０のピニオンギアを回転させる。駆動プーリ３０を回転させると、無端状の切断用ワイヤー１０が矢印Ｒ（図１（ａ）参照）の方向循環走行してコンクリート構造物Ｗが切断される。またスライダ４０のピニオンギアを回転させると、スライダ４０が上方に移動して切断用ワイヤー１０の弛みの発生が防止され、切断用ワイヤー１０に張力Ｔが付与された状態が維持される。張力Ｔを付与した状態を維持できれば、駆動プーリ３０における切断用ワイヤー１０の滑りが防止され、切断用ワイヤー１０を循環走行させてコンクリート構造物Ｗを継続的に切断できる。
【００３２】
本実施形態の装置のように、駆動プーリ３０に比べてより小型軽量であるテンションプーリ４１，４２を移動させる構造にすると、駆動プーリ３０のような重量の大きな物を移動させる場合と比べて、切断作業中の装置１の重心の移動が著しく小さい。また、本実施形態の装置１は、駆動プーリ３０およびプーリ駆動モータ３１のような重量の大きな物がベース２０に固定された構造であるので、安定した状態でコンクリート構造物Ｗ上に設置可能である。このように、実施形態の装置１は、設置状態が安定しており、且つ切断中の装置の重心移動が小さいので、切断中の装置の振動の発生が防止される。振動の発生が防止されれば、切断用ワイヤー１０をより高速で循環走行させることができるなど、切断作業効率を向上させることができる。
【００３３】
ところで、コンクリート構造物Ｗの切断が進行し、切断用ワイヤー１０のうちコンクリート構造物に接する走行経路部分Ｐが徐々に直線に近くなると（例えば図２（ｂ）参照）、切断効率が低下する。そこで、切断が進行すると、図２（ｃ）に示されるように、第１ガイドアーム５１を上方に回動させて第１ガイドプーリ６１を水平方向の位置（基本位置）から斜め上方の位置（切換位置）に移動させ、この状態で切断を行う（図３参照）。なお、第１ガイドアーム５１を回動させる場合は、通常、切断用ワイヤー１０の走行を一旦停止させ、この状態で、第１ボルト５５の位置を、第１溝５３の基本溝部の端部５３ａ（基本ポジション、図２（ａ）参照）から第１溝５３の切換溝部の端部５３ｂ（切換ポジション、図２（ａ）参照）に移動させる。第１ガイドプーリ６１を切換位置に移動させると、切断用ワイヤー１０からコンクリート構造物Ｗに加わる切断力Ｆ１（図２（ｃ）参照）が大きくなり、切断効率が向上する。
【００３４】
本発明に係るワイヤーソーイング装置の実施形態としては、上記実施形態の装置１とは異なる構造のものが考えられる。なお、以下に説明する、構造が異なるワイヤーソーイング装置のうち、先に説明した装置１と共通する構成については、同一の符号を付し、その説明を省略することとした。
【００３５】
例えば、図４に示されるワイヤーソーイング装置２のように、第１ガイドアーム５１を油圧シリンダ５７を用いて回動させるようにしてもよい。すなわち、第１ガイドアーム５１をアーム固定台５０に回転自在に取り付けると共に、第１ガイドアーム５１と支柱２３を油圧シリンダ５７で連結した構造にしてもよい。なお、この実施形態ではアーム回動手段として油圧シリンダを用いたが、油圧に限らず、例えば空圧や電動で伸縮されるシリンダを用いて第１ガイドアーム５１等のアームを回動させてもよい。このような構造にすると、油圧シリンダ５７を伸縮させることで、第１ガイドアーム５１を、水平方向に延びる位置（図４（ａ）参照）と、斜め上方に延びる位置（図４（ｂ）参照）との間で回動でき、第１ガイドプーリ６１を水平方向の位置（基本位置、図４（ａ）参照）から斜め上方の位置（切換位置、図４（ｂ）参照）に移動できる。このようにして第１ガイドプーリ６１を移動させると、先に説明したようにコンクリート構造物Ｗに加わる切断力Ｆ１が大きくなり、切断効率が向上する。
【００３６】
また、本実施形態の装置２のように、第１ガイドプーリ６１の位置の切換えに油圧シリンダ５７を用いると、切断用ワイヤー１０を循環走行させた状態で、切断作業を中断させることなく第１ガイドプーリ６１の位置を基本位置から切換位置に移動可能であるので、便利であり切断作業効率が向上する。なお、油圧シリンダ５７は、図示しない制御装置によって油圧をオン・オフできるようになっており、オンオフ制御によって第１ガイドアーム５１の向きを切換えることができる。
【００３７】
また、図５に示される装置３のように、第１ガイドアーム５１をアーム固定台５０に回転ダンパ５８を介して回転可能に取り付ける構造にすることが考えられる。この構造では、第１ガイドアーム５１の切断開始時の向きを水平方向に向く状態に保持する第１ストッパ５９ａと、第１ガイドアーム５１の回動角度を制限する第２ストッパ５９ｂをアーム固定台５０に設ける。
【００３８】
例えば、切断用ワイヤー１０に張力Ｔを付与してコンクリート構造物Ｗの切断を開始する状態では、図５（ａ）に示されるように、第１ガイドプーリ６１には切断用ワイヤー１０から力Ｆ２が加わる。この力Ｆ２は、図５（ａ）に示されるように、斜め下に向く力、つまり回転ダンパ５８とガイドプーリ６１の軸を結ぶ線上方向Ｄに対して第１ガイドプーリ６１を下方に押えるような力であり、第１ガイドアーム５１を第１ストッパ５９ａに押し当てるように作用する。したがって、切断開始時にあっては、第１ガイドアーム５１は、第１ストッパ５９ａに接する状態で静止している。そして、切断が進行すると、テンションプーリ（不図示）が上方に移動し、第１ガイドアーム５１と上側の切断用ワイヤー１０（図５（ａ）の二点鎖線の位置）とのなす角θ１（但し、θ１＜９０°）が徐々に大きくなる。他方、第１ガイドアーム５１と下側の切断用ワイヤー１０とのなす角θ２は切断開始からしばらくは変化しない。このようにθ２が変化しない状態でθ１が大きくなると、図５（ｂ）に示されるように、第１ガイドプーリ６１に加わる力Ｆ２の向きは徐々に上側に向くようになる。また、切断がさらに進むと、図５（ｃ）に示されるように、θ２が徐々に小さくなり始める。θ２が小さくなる変化は、図５（ｄ）に示されるように、第１ガイドプーリ６１に加わる力Ｆ２の向きを徐々に上側に向けるように作用する。このように、θ１が大きくなる変化およびθ２が小さくなる変化は、いずれも力Ｆ２を上側に向けるように作用する。したがって、図５（ｃ）の状態からさらに切断が進んでθ１が大きくなり（およびθ２が小さくなって）、θ１＝θ２の状態になると、力Ｆ２の向きが線上方向Ｄに一致する。この状態からさらに切断が進んでθ１および／またはθ２が変化し、θ１＞θ２になろうとすると、力Ｆ２がガイドアームの長手方向（線上方向Ｄ）よりも上側に向く状態になろうとすることとなり、θ１＝θ２の状態を維持しつつ第１ガイドアーム５１が上向きに回動し始める。第１ガイドアーム５１が上向きに回動し始めると、第１ガイドプーリ６１が切断開始時の位置（基本位置、例えば図５（ａ）参照）から斜め上方の位置（切換位置）に向けて移動し始める（例えば図５（ｅ）参照）。第１ガイドプーリ６１が切換位置に向けて移動し始めると、切断用ワイヤー１０からコンクリート構造物Ｗに加わる切断力Ｆ１（図２（ｃ）参照）が大きくなり始め、切断効率が向上し始める。そして、第１ガイドアーム５１が第２ストッパ５９ｂに接すると、第１ガイドアーム５１の回動が終了し、第１ガイドプーリ６１が最終的な斜め上方の位置（切換位置）に達する。
【００３９】
このように、本実施形態の装置３では、切断の進行に伴って変化する力Ｆ２の向きの変化を利用して第１ガイドアーム５１を回動させるものであり、切断用ワイヤー１０の状態がθ１＞θ２になろうとすると自動的に第１ガイドアーム５１の回動が開始する。したがって、本実施形態の装置３によれば、切断用ワイヤー１０を循環走行させた状態で、切断作業を中断させることなく第１ガイドプーリ６１の位置を基本位置から切換位置に移動可能である。また、油圧シリンダのオンオフ制御などのような操作も必要ない。したがって、本実施形態の装置によれば、装置構成がより簡単になるという利点がある。また、本実施形態の装置３では、第１ガイドアーム５１を、回転ダンパ５８を介して回転可能に取り付けているのでゆっくりとした動作で回動させることができる。
【００４０】
また、図６に示されるワイヤーソーイング装置４のように、駆動プーリ３０の上方であり、テンションプーリ４１，４２の下方位置に、支柱２３（またはベース２０）に取り付けられる新たなプーリ３３，３４を設置してもよい。この場合、図６（ｂ）に示されるように、新たなプーリ３３，３４の内側端Ｅ１の水平方向（横方向）の位置が駆動プーリ３０の外側端Ｅ２の水平方向の位置よりも内側に位置するようにプーリ３３，３４を設置する。このような位置に新たなプーリ３３，３４を設置すると、切断用ワイヤー１０の駆動プーリ３０への巻き付き長さがより長くなり、駆動プーリ３０における切断用ワイヤー１０のすべり発生がより確実に防止される。
【００４１】
また、図７に示されるように、スライダ４０に設けるテンションプーリの数とガイドアーム５１，５２に設けるガイドプーリの数を増やしてもよい。図７のワイヤーソーイング装置５は、３つのテンションプーリ４１，４２，４５を有し、３つのガイドプーリ６１，６２，６３を有する。そして、この装置５では、ベース２０（ガイドアーム５１，５２）側のプーリ（駆動プーリおよびガイドプーリ）３０，６１，６２，６３と、スライダ４０側のテンションプーリ４１，４２，４５に交互に引っ掛けるように切断用ワイヤー１０が掛け渡されている。ワイヤーソーイング装置５は、スライダ４０を上下動させることで切断用ワイヤー１０のうちコンクリート構造物Ｗ側に送り出された部分の長さを増減するものであるので、テンションプーリおよびガイドプーリがそれぞれ３つになると、２つである装置１（図１参照）と比べて、切断用ワイヤー１０のうちコンクリート構造物Ｗ側に送り出された部分の長さの増減幅が大きくなる。切断用ワイヤー１０の送り出し長さの増減幅が大きくなれば、１回のスライダ４０の移動で、より大きなコンクリート構造物（切断対象物）Ｗを切断できるという利点がある。
【００４２】
【発明の効果】
以上のように、本発明に係るワイヤーソーイング装置を用いれば、装置を安定した状態で設置できるので、切断作業中の装置の振動を最小限に防止でき、効率良く切断作業を行うことができる。
【図面の簡単な説明】
【図１】本発明に係るワイヤーソーイング装置の第１実施形態を示す正面図および側面図。
【図２】第１ガイドプーリが移動すると切断用ワイヤーの切断力Ｆ１が変化することを示すワイヤーソーイング装置の部分拡大正面図。
【図３】第１ガイドプーリが斜め上方の位置に移動した状態のワイヤーソーイング装置を示す正面図。
【図４】第２実施形態のワイヤーソーイング装置を示す正面図。
【図５】第３実施形態のワイヤーソーイング装置を示す正面図。
【図６】第４実施形態のワイヤーソーイング装置を示す正面図。
【図７】第５実施形態のワイヤーソーイング装置を示す正面図。
【符号の説明】
１，２，３，４，５  ワイヤーソーイング装置
１０  切断用ワイヤー
２０  ベース
３０  駆動プーリ
３１  プーリ駆動用モータ（駆動プーリの駆動用モータ）
４１，４２，４５  テンションプーリ
５１  第１ガイドアーム（一方のガイドプーリの支持構造）
６１  第１ガイドプーリ（戻り側ガイドプーリ、一方のガイドプーリ）
６２  第２ガイドプーリ（送り側ガイドプーリ）
６３  ガイドプーリ
Ｗ  コンクリート構造物（切断対象物）
Ｔ  張力
【図１】
2004358833.tif 000003
【図２】
2004358833.tif 000004
【図３】
2004358833.tif 000005
【図４】
2004358833.tif 000006
【図５】
2004358833.tif 000007
【図６】
2004358833.tif 000008
【図７】
2004358833.tif 000009